(57)【要約】【課題】オペレータがログインした直後に、ログインしたオペレータにとって作業しやすい画面を自動的に表示することができるプラント監視装置を提供する。【解決手段】ログイン直後画面情報記憶部４は、オペレータごとのログイン直後画面の情報を記憶する。表示制御部２は、オペレータがログインしたときに、ログイン直後画面情報記憶部４からオペレータに対応するログイン直後画面の情報を読み出して、読み出した情報に基づいて、ログイン直後画面を表示装置８に表示する。設定部３は、オペレータがログイン中に表示装置８に表示される画面に基づいて、オペレータのログイン直後画面の情報をログイン直後画面情報記憶部４に記憶させる。【選択図】図１
2020008982.tif 000002
【特許請求の範囲】
【請求項１】
オペレータごとのログイン直後画面の情報を記憶する第１の記憶部と、
表示装置と、
オペレータがログインしたときに、前記第１の記憶部から前記オペレータに対応するログイン直後画面の情報を読み出して、前記読み出した情報に基づいて、前記ログイン直後画面を前記表示装置に表示する表示制御部と、
前記オペレータがログイン中に前記表示装置に表示される画面に基づいて、前記オペレータのログイン直後画面の情報を前記第１の記憶部に記憶させる設定部とを備えた、プラント監視装置。
【請求項２】
前記ログイン直後画面は、１個以上の画像を含み、
前記ログイン直後画面の情報は、オペレータを識別するＩＤと、前記ログイン直後画面を構成する１個以上の画像を識別する情報と、前記１個以上の画像の位置を表わす情報を記憶する、請求項１記載のプラント監視装置。
【請求項３】
前記画像は、プラントの全体系統画像、前記プラントの部分系統画像、前記プラントの計測値のトレンドグラフ画像、前記プラントの監視映像のうちのいずれかである、請求項２記載のプラント監視装置。
【請求項４】
プラントのデータを記憶する第２の記憶部を備え、
前記表示制御部は、前記読み出したログイン直後画面の情報に基づいて、前記第２の記憶部に記憶されているプラントデータを読み出して、前記ログイン直後画面の情報と前記プラントデータとに基づいて、前記ログイン直後画面を前記表示装置に表示する、請求項１記載のプラント監視装置。
【請求項５】
前記設定部は、前記オペレータがログアウトする直前に前記表示装置に表示されていた画面の情報を前記ログイン直後画面の情報として前記第１の記憶部に記憶させる、請求項１記載のプラント監視装置。
【請求項６】
前記設定部は、前記オペレータがログイン中に最も長く前記表示装置に表示されていた画面の情報を前記ログイン直後画面の情報として前記第１の記憶部に記憶させる、請求項１記載のプラント監視装置。
【請求項７】
前記設定部は、前記オペレータがログイン直後画面の設定を要求したときに、前記表示装置に現在表示されている画面の情報を前記ログイン直後画面の情報として前記第１の記憶部に記憶させる、請求項１記載のプラント監視装置。
【請求項８】
前記オペレータは、複数のグループのいずれかに属し、
前記ログイン直後画面は、１個以上の画像を含み、
前記ログイン直後画面の情報は、オペレータのグループを識別するＩＤと、前記ログイン直後画面を構成する１個以上の画像を識別する情報と、前記１個以上の画像の位置を表わす情報とを含み、
前記表示制御部は、オペレータがログインしたときに、前記第１の記憶部から前記オペレータが属するグループに対応するログイン直後画面の情報を読み出して、前記読み出した情報に基づいて、前記ログイン直後画面を前記表示装置に表示し、
前記設定部は、前記オペレータがログイン中に前記表示装置に表示される画面に基づいて、前記オペレータが属するグループのログイン直後画面の情報を前記第１の記憶部に記憶させる、請求項１記載のプラント監視装置。
【請求項９】
前記ログイン直後画面の情報は、オペレータを識別するＩＤと、プラントの状況を識別するＩＤと、前記ログイン直後画面を構成する１個以上の画像を識別する情報と、前記１個以上の画像の位置を表わす情報とを含み、
前記表示制御部は、オペレータがログインしたときに、前記第１の記憶部から前記オペレータおよび前記プラントの状況のセットに対応するログイン直後画面の情報を読み出して、前記読み出した情報に基づいて、前記ログイン直後画面を前記表示装置に表示し、
前記設定部は、前記オペレータがログイン中の前記プラントの状況および前記表示装置に表示される画面に基づいて、前記プラントの状況および前記オペレータのセットに対応するログイン直後画面の情報を前記第１の記憶部に記憶させる、請求項１記載のプラント監視装置。
【発明の詳細な説明】
【技術分野】
【０００１】
本発明は、プラント監視装置に関する。
【背景技術】
【０００２】
従来から、表示装置に表示された画面構成と同じ画面構成の画面を再表示することができるプラント監視装置が知られている。
【０００３】
たとえば、特許文献１に記載のプラント監視装置は、表示装置に複数の画面が表示されているときにオペレータから画面記録要求を受けたとき、その表示状態を保存するための画面要求情報を作成して保存する。オペレータから保存した画面要求情報の画面の表示要求があったとき、保存してある画面要求情報を読み出して、その表示状態の画面を表示する。
【先行技術文献】
【特許文献】
【０００４】
【特許文献１】特開２００５−２５９０２１号公報
【発明の概要】
【発明が解決しようとする課題】
【０００５】
複数のオペレータが交代でプラント監視装置を使用する場合に、オペレータが交代する際に、新たなオペレータによるログインが行われる。
【０００６】
個々のオペレータによって作業しやすい画面が異なるため、オペレータはログインした後、オペレータにとって作業しやすい画面を表示するために、オペレータは、自身が作成して保存した画面要求情報を検索して、読み出さなければならない。したがって、オペレータにとって作業しやすい画面を表示するのには、手間がかかる。
【０００７】
それゆえに、本発明の目的は、オペレータがログインした直後に、ログインしたオペレータにとって作業しやすい画面を自動的に表示することができるプラント監視装置を提供することである。
【課題を解決するための手段】
【０００８】
本発明のプラント監視装置は、オペレータごとのログイン直後画面の情報を記憶する第１の記憶部と、表示装置と、オペレータがログインしたときに、第１の記憶部からオペレータに対応するログイン直後画面の情報を読み出して、読み出した情報に基づいて、ログイン直後画面を表示装置に表示する表示制御部と、オペレータがログイン中に表示装置に表示される画面に基づいて、オペレータのログイン直後画面の情報を第１の記憶部に記憶させる設定部とを備える。
【発明の効果】
【０００９】
本発明によれば、オペレータがログインした直後に、オペレータにとって作業しやすい画面を自動的に表示することができる。
【図面の簡単な説明】
【００１０】
【図１】実施の形態１のプラント監視装置１の構成を表わす図である。
【図２】実施の形態１のログイン直後画面の情報の一例を表わす図である。
【図３】実施の形態１のプラント監視装置１のログイン直後画面を表示する手順を表わすフローチャートである。
【図４】実施の形態１のプラント監視装置１のログイン直後画面を設定する手順を表わすフローチャートである。
【図５】実施の形態２のログイン直後画面の情報の一例を表わす図である。
【図６】実施の形態２のプラント監視装置１のログイン直後画面を表示する手順を表わすフローチャートである。
【図７】実施の形態２のプラント監視装置１のログイン直後画面を設定する手順を表わすフローチャートである。
【図８】実施の形態３のログイン直後画面の情報の一例を表わす図である。
【図９】実施の形態３のプラント監視装置１のログイン直後画面を表示する手順を表わすフローチャートである。
【図１０】実施の形態３のプラント監視装置１のログイン直後画面を設定する手順を表わすフローチャートである。
【図１１】実施の形態４のプラント監視装置１のログイン直後画面を設定する手順を表わすフローチャートである。
【図１２】実施の形態５のプラント監視装置１のログイン直後画面を設定する手順を表わすフローチャートである。
【図１３】プラント監視装置１のハードウエア構成の一例を表わす図である。
【図１４】プラント監視装置１のハードウエア構成の別の例を表わす図である。
【発明を実施するための形態】
【００１１】
実施の形態１．
図１は、実施の形態１のプラント監視装置１の構成を表わす図である。
【００１２】
プラント監視装置１は、プラントデータ入力部６と、プラントデータ記憶部７と、入力装置９と、表示装置８と、画像情報記憶部５と、表示制御部２と、設定部３と、ログイン直後画面情報記憶部４と、オペレータ管理部１０とを備える。
【００１３】
プラントデータ入力部６は、プラント設備から送信されるプラントデータを受ける。
プラントデータ記憶部７は、プラントデータ入力部６に入力されたプラントデータを記憶する。
【００１４】
入力装置９は、オペレータからの指示を受ける。
表示装置８は、画面を表示する。
【００１５】
画像情報記憶部５は、表示装置８に表示する画面を構成する画像の部品の属性を記憶する。たとえば、全体系統図を表わす画像を表示される場合には、全体系統図を表わす図形の位置、大きさ、および色などの属性が記憶される。計測値のトレンドグラフ画像が表示される場合には、トレンドグラフの横軸、縦軸などの図形、計測値を表わす図形の形、色、および大きさなどの属性が記憶される。プラントの監視映像が表示される場合には、桜蘭との監視映像の枠を表わす線の色、太さ、長さなどの属性が記憶される。
【００１６】
ログイン直後画面情報記憶部４は、オペレータごとのログイン直後画面の情報を記憶する。ログイン直後画面は、オペレータがログインした直後に表示される画面である。ログイン直後画面は、１個以上の画像を含む。この画像は、プラントの全体系統画像、プラントの部分系統画像、プラントの監視映像、およびプラントの計測値のトレンドグラフ画像のうちのいずれかとすることができる。
【００１７】
図２は、実施の形態１のログイン直後画面の情報の一例を表わす図である。図２に示すように、ログイン直後画面の情報は、オペレータを識別するＩＤ（以下、オペレータＩＤ）と、ログイン直後画面を構成する１個以上の画像を識別する情報（以下、画像の識別情報）と、ログイン直後画面を構成する１個以上の画像の位置を表わす情報（以下、画像の位置情報）とを含む。図２の例では、１つのログイン直後画面の情報は、オペレータＩＤ＝「１」と、プラント全体系統画像の識別情報と、プラントの部分＃１の系統画像の識別情報と、プラントの部分＃２の系統画像の識別情報と、計測値＃１のトレンドグラフ画像の識別情報と、これらの画像の位置情報とを含む。
【００１８】
オペレータ管理部１０は、ログイン処理およびログアウト処理を実行する。
表示制御部２は、オペレータがログインしたときに、ログイン直後画面情報記憶部４から、オペレータに対応するログイン直後画面の情報を読み出す。表示制御部２は、読み出したログイン直後画面の情報に基づいて、プラントデータ記憶部７に記憶されているプラントデータを読み出して、ログイン直後画面の情報とプラントデータとに基づいて、ログイン直後画面を生成して、表示装置８に表示する。
【００１９】
設定部３は、オペレータがログイン中に表示装置８に表示される画面に基づいて、オペレータのログイン直後画面の情報をログイン直後画面情報記憶部４に記憶させる。実施の形態１では、設定部３は、オペレータがログアウトする直前に表示装置８に表示されていた画面の情報をログイン直後画面の情報として、ログイン直後画面情報記憶部４に記憶させる。
【００２０】
図３は、実施の形態１のプラント監視装置１のログイン直後画面を表示する手順を表わすフローチャートである。
【００２１】
ステップＳ１０１において、入力装置９を通じて、オペレータがログインを要求した場合に、処理がステップＳ１０２に進む。
【００２２】
ステップＳ１０２において、オペレータ管理部１０は、オペレータのログイン処理を実行する。
【００２３】
ステップＳ１０３において、表示制御部２は、ログイン直後画面情報記憶部４に記憶されている複数のログイン直後画面の情報からログインを要求したオペレータのＩＤが含まれるログイン直後画面の情報を読出す。
【００２４】
ステップＳ１０４において、表示制御部２は、読み出したログイン直後画面の情報に含まれる１個以上の画像の識別情報に基づいて、画像情報記憶部５から画像情報を読出す。表示制御部２は、読み出したログイン直後画面の情報に含まれる１個以上の画像の識別情報に基づいて、プラントデータ記憶部７からプラントデータを読出す。表示制御部２は、画像情報と、プラントデータと、画像の位置情報とに基づいて、表示するログイン直後画面を生成して、表示装置８に表示する。たとえば、オペレータＩＤ＝「２」のオペレータがログインした直後に、プラントの部分＃２の系統画像と、プラントの部分＃３の系統画像と、プラントの計測値＃２のトレンドグラフ画像とが表示される。トレンドグラフ画像には、計測値＃２を表わすプラントデータがプロットされる。
【００２５】
図４は、実施の形態１のプラント監視装置１のログイン直後画面を設定する手順を表わすフローチャートである。
【００２６】
図４を参照して、ステップＳ４０１において、入力装置９を通じて、オペレータがログアウトを要求した場合に、処理がステップＳ４０２に進む。
【００２７】
ステップＳ４０２において、設定部３は、ログアウトの要求を受けたときに、表示装置８に表示されている画面をログイン直後画面に設定する。設定部３は、ログアウトを要求したオペレータのＩＤと、ログイン直後画面を構成する１以上の画像の識別情報と、ログイン直後画面を構成する１以上の画像の位置情報とを含むログイン直後画面の情報をログイン直後画面情報記憶部４に記憶させる。
【００２８】
ステップＳ４０３において、オペレータ管理部１０は、オペレータのログアウト処理を実行する。
【００２９】
以上のように、本実施の形態では、ログアウト時に、オペレータのＩＤと、画像の識別情報と、画像の位置情報を含むログイン直後画面の情報を記憶し、ログイン時に、ログインしたオペレータのＩＤが含まれるログイン直後画面の情報を読出す。これによって、オペレータがログインした直後に、オペレータにとって作業しやすい画面を自動的に表示することができる。
【００３０】
実施の形態２．
図５は、実施の形態２のログイン直後画面の情報の一例を表わす図である。図５に示すように、ログイン直後画面の情報は、オペレータのグループを識別するＩＤ（以下、オペレータのグループＩＤ）と、ログイン直後画面を構成する１個以上の画像を識別する情報（画像の識別情報）と、ログイン直後画面を構成する１個以上の画像の位置を表わす情報（画像の位置情報）とを含む。図５の例では、１つのログイン直後画面の情報は、オペレータのグループＩＤ＝「１」と、プラントの部分＃１の系統画像の識別情報と、プラントの部分＃３の系統画像の識別情報と、これらの画像の位置情報とを含む。
【００３１】
表示制御部２は、オペレータがログインしたときに、ログイン直後画面情報記憶部４から、オペレータが属するグループに対応するログイン直後画面の情報を読み出す。表示制御部２は、読み出したログイン直後画面の情報に基づいて、プラントデータ記憶部７に記憶されているプラントデータを読み出して、ログイン直後画面の情報とプラントデータとに基づいて、ログイン直後画面を生成して、表示装置８に表示する。
【００３２】
設定部３は、オペレータがログイン中に表示装置８に表示される画面に基づいて、オペレータが属するグループのログイン直後画面の情報をログイン直後画面情報記憶部４に記憶させる。
【００３３】
図６は、実施の形態２のプラント監視装置１のログイン直後画面を表示する手順を表わすフローチャートである。
【００３４】
ステップＳ２０１において、入力装置９を通じて、オペレータがログインを要求した場合に、処理がステップＳ２０２に進む。
【００３５】
ステップＳ２０２において、オペレータ管理部１０は、オペレータのログイン処理を実行する。
【００３６】
ステップＳ２０３において、表示制御部２は、ログイン直後画面情報記憶部４に記憶されている複数のログイン直後画面の情報からログインを要求したオペレータのグループＩＤが含まれるログイン直後画面の情報を読出す。
【００３７】
ステップＳ２０４において、表示制御部２は、読み出したログイン直後画面の情報に含まれる１個以上の画像の識別情報に基づいて、画像情報記憶部５から画像情報を読出す。表示制御部２は、読み出したログイン直後画面の情報に含まれる１個以上の画像の識別情報に基づいて、プラントデータ記憶部７からプラントデータを読出す。表示制御部２は、画像情報と、プラントデータと、画像の位置情報とに基づいて、表示するログイン直後画面を生成して、表示装置８に表示する。
【００３８】
図７は、実施の形態２のプラント監視装置１のログイン直後画面を設定する手順を表わすフローチャートである。
【００３９】
図７を参照して、ステップＳ６０１において、入力装置９を通じて、オペレータがログアウトを要求した場合に、処理がステップＳ６０２に進む。
【００４０】
ステップＳ６０２において、設定部３は、ログアウトの要求を受けたときに、表示装置８に表示されている画面をログイン直後画面に設定する。設定部３は、ログアウトを要求したオペレータが属するグループのＩＤと、ログイン直後画面を構成する１以上の画像の識別情報と、ログイン直後画面を構成する１以上の画像の位置情報とを含むログイン直後画面の情報をログイン直後画面情報記憶部４に記憶させる。
【００４１】
ステップＳ６０３において、オペレータ管理部１０は、オペレータのログアウト処理を実行する。
【００４２】
以上のように、本実施の形態では、ログアウト時に、オペレータのグループのＩＤと、画像の識別情報と、画像の位置情報を含むログイン直後画面の情報を記憶し、ログイン時に、ログインしたオペレータのグループのＩＤが含まれるログイン直後画面の情報を読出す。これによって、オペレータがログインした直後に、オペレータにとって作業しやすい画面を自動的に表示することができる。
【００４３】
実施の形態３．
図８は、実施の形態３のログイン直後画面の情報の一例を表わす図である。図８に示すように、ログイン直後画面の情報は、オペレータを識別するＩＤ（以下、オペレータＩＤ）と、プラントの状況を表わすＩＤ（以下、プラント状況のＩＤ）と、ログイン直後画面を構成する１個以上の画像を識別する情報（画像の識別情報）と、ログイン直後画面を構成する１個以上の画像の位置を表わす情報（画像の位置情報）とを含む。図８の例では、１つのログイン直後画面の情報は、オペレータのグループＩＤ＝「１」と、プラント状況のＩＤ＝「１」と、プラントの全体系統画像の識別情報と、プラントの部分＃２の系統画像の識別情報と、プラントの部分＃３の系統画像の識別情報と、プラントの部分＃５の系統画像の識別情報と、これらの画像の位置情報とを含む。
【００４４】
表示制御部２は、オペレータがログインしたときに、ログイン直後画面情報記憶部４から、オペレータおよびプラントの状況のセットに対応するログイン直後画面の情報を読み出す。表示制御部２は、読み出したログイン直後画面の情報に基づいて、プラントデータ記憶部７に記憶されているプラントデータを読み出して、ログイン直後画面の情報とプラントデータとに基づいて、ログイン直後画面を生成して、表示装置８に表示する。
【００４５】
図９は、実施の形態３のプラント監視装置１のログイン直後画面を表示する手順を表わすフローチャートである。
【００４６】
ステップＳ３０１において、入力装置９を通じて、オペレータがログインを要求した場合に、処理がステップＳ３０２に進む。
【００４７】
ステップＳ３０２において、オペレータ管理部１０は、オペレータのログイン処理を実行する。
【００４８】
ステップＳ３０３において、表示制御部２は、プラントの状況を表わすＩＤを取得する。
【００４９】
ステップＳ３０４において、表示制御部２は、ログイン直後画面情報記憶部４に記憶されている複数のログイン直後画面の情報からログインを要求したオペレータのＩＤおよびプラント状況のＩＤのセットが含まれるログイン直後画面情報を読出す。
【００５０】
ステップＳ３０５において、表示制御部２は、読み出したログイン直後画面の情報に含まれる１個以上の画像の識別情報に基づいて、画像情報記憶部５から画像情報を読出す。表示制御部２は、読み出したログイン直後画面の情報に含まれる１個以上の画像の識別情報に基づいて、プラントデータ記憶部７からプラントデータを読出す。表示制御部２は、画像情報と、プラントデータと、画像の位置情報とに基づいて、表示するログイン直後画面を生成して、表示装置８に表示する。
【００５１】
図１０は、実施の形態３のプラント監視装置１のログイン直後画面を設定する手順を表わすフローチャートである。
【００５２】
図１０を参照して、ステップＳ７０１において、入力装置９を通じて、オペレータがログアウトを要求した場合に、処理がステップＳ７０２に進む。
【００５３】
ステップＳ７０２において、表示制御部２は、プラントの状況を表わすＩＤを取得する。
【００５４】
ステップＳ７０３において、設定部３は、ログアウトの要求を受けたときに、表示装置８に表示されている画面をログイン直後画面に設定する。設定部３は、ログアウトを要求したオペレータのＩＤと、プラント状況のＩＤと、ログイン直後画面を構成する１以上の画像の識別情報と、ログイン直後画面を構成する１以上の画像の位置情報とを含むログイン直後画面の情報をログイン直後画面情報記憶部４に記憶させる。
【００５５】
ステップＳ７０４において、オペレータ管理部１０は、オペレータのログアウト処理を実行する。
【００５６】
以上のように、本実施の形態では、ログアウト時に、オペレータのＩＤと、プラント状況のＩＤと、画像の識別情報と、画像の位置情報を含むログイン直後画面の情報を記憶し、ログイン時に、ログインしたオペレータのＩＤおよび現在のプラント状況のＩＤが含まれるログイン直後画面の情報を読出す。これによって、オペレータがログインした直後に、オペレータにとって作業しやすい画面を自動的に表示することができる。
【００５７】
実施の形態４．
図１１は、実施の形態４のプラント監視装置１のログイン直後画面を設定する手順を表わすフローチャートである。
【００５８】
図１１を参照して、ステップＳ５０１において、入力装置９を通じて、オペレータがログアウトを要求した場合に、処理がステップＳ５０２に進む。
【００５９】
ステップＳ５０２において、設定部３は、ログイン後からログアウト要求を受けるまでにおいて、最も長く表示されていた画面をログイン直後画面に設定する。設定部３は、ログアウトを要求したオペレータが属するグループのＩＤと、ログイン直後画面を構成する１以上の画像の識別情報と、ログイン直後画面を構成する１以上の画像の位置情報とを含むログイン直後画面の情報をログイン直後画面情報記憶部４に記憶させる。
【００６０】
ステップＳ５０３において、オペレータ管理部１０は、オペレータのログアウト処理を実行する。
【００６１】
以上のように、本実施の形態では、ログアウト時に、ログイン後からログアウト要求を受けるまでにおいて、最も長く表示されていた画面をログイン直後画面に設定する。これによって、オペレータがログインした直後に、オペレータにとって作業しやすい画面を自動的に表示することができる。
【００６２】
実施の形態５．
図１２は、実施の形態５のプラント監視装置１のログイン直後画面を設定する手順を表わすフローチャートである。
【００６３】
図１２を参照して、ステップＳ８０１において、入力装置９を通じて、オペレータがログアウト直後画面の設定を要求した場合に、処理がステップＳ８０２に進む。入力装置９を通じて、オペレータがログアウト直後画面の設定を要求しない場合に、処理がステップＳ８０３に進む。
【００６４】
ステップＳ８０２において、設定部３は、表示されている現在の画面をログイン直後画面に設定する。設定部３は、ログアウトを要求したオペレータが属するグループのＩＤと、ログイン直後画面を構成する１以上の画像の識別情報と、ログイン直後画面を構成する１以上の画像の位置情報とを含むログイン直後画面の情報をログイン直後画面情報記憶部４に記憶させる。その後、処理がステップＳ８０１に戻る。
【００６５】
ステップＳ８０３において、入力装置９を通じて、オペレータがログアウトを要求した場合に、処理がステップＳ８０４に進む。入力装置９を通じて、オペレータがログアウトを要求した場合に、処理がステップＳ８０１に戻る。
【００６６】
ステップＳ８０４において、オペレータ管理部１０は、オペレータのログアウト処理を実行する。
【００６７】
以上のように、本実施の形態では、オペレータがログアウト直後画面の設定を要求したときに表示されている画面をログイン直後画面に設定する。これによって、オペレータがログインした直後に、オペレータにとって作業しやすい画面を自動的に表示することができる。
【００６８】
実施の形態６．
プラント監視装置１の具体的なハードウエア構成について説明する。
【００６９】
図１３は、プラント監視装置１のハードウエア構成の一例を表わす図である。
図１のプラント監視装置１における画像情報記憶部５、プラントデータ記憶部７、およびログイン直後画面情報記憶部４は、メモリ１３０によって構成される。メモリ１３０は、たとえば、ＲＯＭ（Read Only Memory）、ＲＡＭ（Random Access Memory）、フラッシュメモリ、ＥＰＲＯＭ（Erasable Programmable Read Only Memory）、ＥＥＰＲＯＭ（Electrically Erasable Programmable Read-Only Memory）などの不揮発性または揮発性の半導体メモリ、磁気ディスク、フレシキブルディスク、光ディスク、コンパクトディスク、ミニディスク、またはＤＶＤ（Digital Versatile Disc）などによって構成される。
【００７０】
オペレータ管理部１０、プラントデータ入力部６、設定部３、および表示制御部２は、処理回路１２０によって構成される。処理回路１２０は、たとえば、単一回路、複合回路、プログラム化したプロセッサ、ＡＳＩＣ（Application Specific Integrated Circuit）、ＦＰＧＡ（Field Programmable Gate Array）、またはこれらを組み合わせたものとすることができる。オペレータ管理部１０、プラントデータ入力部６、設定部３、および表示制御部２の各機能をそれぞれ対応の処理回路１２０によって実現することができる。あるいは、オペレータ管理部１０、プラントデータ入力部６、設定部３、および表示制御部２の各機能をまとめて１つの処理回路１２０によって実現することができる。
【００７１】
図１４は、プラント監視装置１のハードウエア構成の別の例を表わす図である。
図１のプラント監視装置１における画像情報記憶部５、プラントデータ記憶部７、およびログイン直後画面情報記憶部４は、メモリ１３０によって構成される。
【００７２】
オペレータ管理部１０、プラントデータ入力部６、設定部３、および表示制御部２の機能は、ソフトウエア、ファームウエア、またはソフトウエアとファームウエアとの組み合わせによって実現される。ソフトウエアおよびファームウエアは、プログラムとして記述され、メモリ１３０に格納される。プロセッサ１４０は、メモリ１３０に記憶されたプログラムを実行することによって、各部の機能を実現する。このプログラムは、オペレータ管理部１０、プラントデータ入力部６、設定部３、および表示制御部２の手順および方法をコンピュータに実行させるものであるともいえる。
【００７３】
なお、オペレータ管理部１０、プラントデータ入力部６、設定部３、および表示制御部２の各機能について、一部を専用のハードウエアで実現し、他の一部をソフトウエアまたはファームウエアで実現するようにしてもよい。
【００７４】
今回開示された実施の形態はすべての点で例示であって、制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７５】
１  プラント監視装置、２  表示制御部、３  設定部、４  ログイン直後画面情報記憶部、５  画像情報記憶部、６  プラントデータ入力部、７  プラントデータ記憶部、８  表示装置、９  入力装置、１０  オペレータ管理部、１２０  処理回路、１３０  メモリ、１４０  プロセッサ。
【図１】
2020008982.tif 000003
【図２】
2020008982.tif 000004
【図３】
2020008982.tif 000005
【図４】
2020008982.tif 000006
【図５】
2020008982.tif 000007
【図６】
2020008982.tif 000008
【図７】
2020008982.tif 000009
【図８】
2020008982.tif 000010
【図９】
2020008982.tif 000011
【図１０】
2020008982.tif 000012
【図１１】
2020008982.tif 000013
【図１２】
2020008982.tif 000014
【図１３】
2020008982.tif 000015
【図１４】
2020008982.tif 000016